(57)【要約】【課題】無線ＬＡＮなどの無線通信において、コネクションの暗号化状態を容易に確認できるようにする。【解決手段】パケットのヘッダに含まれる当該パケットの暗号化状態を示すデータを読み出し、当該データに基づいて、現在のコネクションの暗号化状態を無線通信モニタウィンドウ７０１に表示する。このウィンドウ７０１には、コネクションの暗号化状態を示すアイコン７０２とともに、接続の有無、接続時間などの無線ネットワークの接続状態が表示される。【選択図】　図７
2004135133.tif 000002
【特許請求の範囲】
【請求項１】
パケット通信を行う無線通信方法であって、パケットのヘッダに含まれる当該パケットの暗号化状態を示すデータを読み出すステップと、当該データに基づいて、現在のコネクションの暗号化状態を判別するステップと、前記コネクションの暗号化状態を表示するステップを有することを特徴とする無線通信方法。
【請求項２】
前記暗号化状態を示すデータは、ＷＥＰであることを特徴とする請求項１に記載の無線通信方法。
【請求項３】
前記コネクションの暗号化状態を、ネットワーク接続状態とともにディスプレイに表示することを特徴とする請求項１または２に記載の無線通信方法。
【請求項４】
前記パケットの暗号化状態を示すデータが所定回数以上連続してはじめて、前記コネクションの暗号化状態の表示に反映させることを特徴とする請求項１ないし３のいずれか１項に記載の無線通信方法。
【請求項５】
パケット通信を行う無線端末装置であって、パケットのヘッダに含まれる当該パケットの暗号化状態を示すデータを読み出す手段と、当該データに基づいて、現在のコネクションの暗号化状態を判別する判別手段と、前記コネクションの暗号化状態を表示する表示手段を備えたことを特徴とする無線端末装置。
【請求項６】
パケットのヘッダに含まれる当該パケットの暗号化状態を示すデータを読み出す手段と、当該データに基づいて、現在のコネクションの暗号化状態を判別する判別手段と、前記コネクションの暗号化状態を表示するために、前記判別手段により判別した結果を送信する送信手段を備えたことを特徴とする無線ＬＡＮアダプタ。
【請求項７】
表示機能およびパケット通信を行うための無線通信機能を備えたコンピュータに、パケットのヘッダに含まれる当該パケットの暗号化状態を示すデータを読み出すステップ、当該データに基づいて、現在のコネクションの暗号化状態を判別するステップ、前記コネクションの暗号化状態を表示するステップを実行させるためのコンピュータプログラム。
【請求項８】
請求項７に記載のコンピュータプログラムを記録したコンピュータ読取可能な記録媒体。
【請求項９】
（無線通信システム）
基地局と、前記基地局と無線通信可能な無線端末装置を含む無線通信システムであって、
前記基地局は、少なくとも、パケットのヘッダに含まれる当該パケットの暗号化状態を示すデータの送受信が可能な送受信手段を備え、
前記無線端末装置は、受信した前記暗号化状態を示すデータを読み出す手段と、
当該データに基づいて、現在のコネクションの暗号化状態を判別する判別手段と、
前記コネクションの暗号化状態を表示する表示手段を備えたことを特徴とする無線通信システム。
【発明の詳細な説明】
【０００１】
【発明の属する技術分野】
本発明は、無線ＬＡＮ等に適用される無線通信方法等に関し、より詳細には、コネクションの暗号化状態を容易に確認することが可能な無線通信方法、無線端末装置、無線ＬＡＮアダプタ、コンピュータプログラムおよび記録媒体、ならびに無線通信システムに関する。
【０００２】
【従来の技術】
最近、無線ＬＡＮが急速に普及している。無線ＬＡＮは、電波を伝送媒体とし、無線でデータ通信を行う通信ネットワーク（ＬＡＮ）であり、その通信プロトコルはＩＥＥＥ８０２．１１によって規定されている。無線ＬＡＮを利用すれば、面倒なケーブル接続をせずにＬＡＮを構築することができるので非常に便利である。
【０００３】
無線ＬＡＮは、伝送媒体が電波であるため、電波を傍受・解析することによって盗聴される可能性が高く、通信の暗号化が必須である。そのためＩＥＥＥ８０２．１１では、ＷＥＰ（Ｗｉｒｅｄ　Ｅｑｕｉｖａｌｅｎｔ　Ｐｒｉｖａｃｙ）と呼ばれる暗号化方式を採用している。これは、インフラストラクチャモードにおいて、コンピュータとアクセスポイントとの間で送受信されるパケットを暗号化するものである。ＷＥＰでは、暗号化方式としてＲＣ４（Ｒｏｎ’ｓ　Ｃｏｄｅ４）が用いられ、将来的にはより強力なＡＥＳが採用される方向にある。また暗号鍵としては、６４ビットまたは１２８ビットの鍵長をもつ暗号鍵が用いられる。
【０００４】
実際の通信では、コンピュータとアクセスポイントとの間で、上述した暗号化方式によりパケットを暗号化して相手方に送信する。その際、パケットのヘッダに含まれるＷＥＰビットと呼ばれる所定のビットのフラグがオンに設定される。受信側では、ＷＥＰビットをチェックし、ＷＥＰビットがオンの場合にはパケットが暗号化されているものと判断し、当該パケットの復号化を行って元のパケットに戻す処理が行われる。
【０００５】
【発明が解決しようとする課題】
ところで、上述した無線ＬＡＮ通信において、その通信状態を監視する手段として、無線通信モニタプログラムが利用されている。このようなプログラムはユーティリティソフトとしてＯＳに付属していることが多く、このプログラムを実行すれば、アクセスポイントとの接続状態が表示され、アクセスポイントと接続されているか否か（接続の有無）、接続を開始してから現在までの時間（接続時間）、現在の接続速度、アクセスポイントからのシグナルの強さ、送受信されたパケットの総数などを知ることができる。
【０００６】
しかしながら、現在の通信がＷＥＰにより暗号化されているかどうかを知ることができず、上述した無線通信モニタプログラムによっても確認することができなかった。そのため、ユーザは、セキュリティの面で不安を感じながら無線ＬＡＮを利用している状況にある。
【０００７】
したがって、本発明の目的は、コネクションの暗号化状態を容易に確認することが可能な無線通信方法、無線端末装置、無線ＬＡＮアダプタ、コンピュータプログラムおよび記録媒体を提供することにある。
【０００８】
【課題を解決するための手段】
本発明のかかる目的は、パケット通信を行う無線通信方法であって、パケットのヘッダに含まれる当該パケットの暗号化状態を示すデータを読み出すステップと、当該データに基づいて、現在のコネクションの暗号化状態を判別するステップと、前記コネクションの暗号化状態を表示するステップを有することを特徴とする無線通信方法によって達成される。
【０００９】
本発明によれば、無線端末装置と基地局との間のコネクションの暗号化状態、あるいは無線端末装置どうしのコネクションの暗号化状態を容易に確認することができる。
【００１０】
本発明の好ましい実施形態においては、前記暗号化状態を示すデータがＷＥＰである。
【００１１】
本発明の好ましい実施形態によれば、無線ＬＡＮにおいて、インフラストラクチャモードの場合には無線端末装置とアクセスポイントとの間のコネクションの暗号化状態を、またアドホックモードの場合には無線端末装置どうしのコネクションの暗号化状態を容易に確認することができる。
【００１２】
本発明のさらに好ましい実施形態においては、前記コネクションの暗号化状態を、ネットワーク接続状態とともにディスプレイに表示する。
【００１３】
本発明の好ましい実施形態によれば、コネクションの暗号化状態をアイコン等で直感的に表示させることができ、またネットワーク接続状態をその暗号化状態も含めて一度に表示させることができるので、確認ためのユーザ操作も簡素化される。
【００１４】
本発明のさらに好ましい実施形態においては、前記パケットの暗号化状態を示すデータが所定回数以上連続してはじめて、前記コネクションの暗号化状態の表示に反映させる。
【００１５】
本発明のさらに好ましい実施形態によれば、暗号化状態が頻繁に変更されることによる煩わしさがなく、コネクションの暗号化状態の表示が非常に見やすくなる。
【００１６】
本発明の前記目的はまた、パケット通信を行う無線端末装置であって、パケットのヘッダに含まれる当該パケットの暗号化状態を示すデータを読み出す手段と、当該データに基づいて、現在のコネクションの暗号化状態を判別する判別手段と、前記コネクションの暗号化状態を表示する表示手段を備えたことを特徴とする無線端末装置によっても達成される。
【００１７】
本発明の前記目的はまた、パケットのヘッダに含まれる当該パケットの暗号化状態を示すデータを読み出す手段と、当該データに基づいて、現在のコネクションの暗号化状態を判別する判別手段と、前記コネクションの暗号化状態を表示するために、前記判別手段により判別した結果を送信する送信手段を備えたことを特徴とする無線ＬＡＮアダプタによっても達成される。
【００１８】
本発明の前記目的はまた、表示機能およびパケット通信を行うための無線通信機能を備えたコンピュータに、パケットのヘッダに含まれる当該パケットの暗号化状態を示すデータを読み出すステップ、当該データに基づいて、現在のコネクションの暗号化状態を判別するステップ、前記コネクションの暗号化状態を表示するステップを実行させるためのコンピュータプログラムによっても達成される。
【００１９】
本発明の前記目的はまた、前記コンピュータプログラムを記録したコンピュータ読取可能な記録媒体によっても達成される。
【００２０】
本発明の前記目的はまた、基地局と、前記基地局と無線通信可能な無線端末装置を含む無線通信システムであって、前記基地局は、少なくとも、パケットのヘッダに含まれる当該パケットの暗号化状態を示すデータの送受信が可能な送受信手段を備え、前記無線端末装置は、受信した前記暗号化状態を示すデータを読み出す手段と、当該データに基づいて、現在のコネクションの暗号化状態を判別する判別手段と、前記コネクションの暗号化状態を表示する表示手段を備えたことを特徴とする無線通信システムによっても達成される。
【００２１】
【発明の実施の形態】
以下、添付図面を参照しながら、本発明の好ましい実施形態について詳細に説明する。
【００２２】
図１は、本発明の好ましい実施形態にかかる無線ＬＡＮ通信システムの構成を示す略ブロック図である。
【００２３】
図１に示されるように、このシステムは、無線端末装置として機能する無線ＬＡＮアダプタ１０２を備えたパーソナルコンピュータ（ＰＣ）１０１と、無線端末装置に対する基地局となるアクセスポイント（ＡＰ）１０３を備えており、アクセスポイント（ＡＰ）を中心として無線ネットワークが構成される。アクセスポイント（ＡＰ）１０３は有線ＬＡＮ１０４やこの有線ＬＡＮ１０４を介してインターネット１０５に接続されており、パーソナルコンピュータ（ＰＣ）１０１は、アクセスポイント（ＡＰ）１０３を経由して、ＬＡＮ１０４やインターネット１０５に接続された他のコンピュータ（ＰＣ）と通信することができる。アクセスポイント（ＡＰ）１０３は、無線端末装置とデータを送受信することが可能な送受信部を有している。
【００２４】
図２は、無線端末装置の構成を示す略ブロック図である。
【００２５】
図２に示されるように、無線端末装置２００は、コンピュータ本体２０１と、ディスプレイなどの表示手段２０７と、キーボードやマウスなどの入力手段２０８を備えている。コンピュータ本体２０１は、ＣＰＵ２０２、メモリ２０３、ハードディスクドライブ（ＨＤＤ）２０４、フレキシブルディスクやＣＤ−ＲＯＭといった記録媒体の記録・再生を行うリムーバブルメディアドライブ（ＲＭＤ）２０５、アクセスポイントと無線接続するためのネットワークインターフェースである無線ＬＡＮアダプタ１０２、入出力インターフェース（Ｉ／Ｏ）２０６などを備え、これらがバスを介して接続されている。
【００２６】
無線端末装置２００の機能は、上述したハードウェアと、各種ソフトウェアとが協働することによって実現される。ソフトウェアには、無線ＬＡＮアダプタのデバイスドライバや無線通信モニタプログラムなども含まれる。これらのプログラムは、当該プログラムを記録したＣＤ−ＲＯＭなどの記録媒体を介して提供されてもよく、その場合はリムーバブルメディアドライブ２０５によって当該プログラムを読み出してインストールする。あるいは、インターネットから直接ダウンロードしてインストールしてもよい。インストールされたプログラムは、ユーザからの指示により、あるいはコンピュータ起動時に自動的に、ハードディスクドライブ２０４からメモリ２０３に読み出されて実行される。
【００２７】
図３は、無線ＬＡＮアダプタ１０２の構成を示す機能ブロック図である。
【００２８】
図３に示されるように、無線ＬＡＮアダプタ１０２は、コンピュータ本体２０１とバス接続するためのバスインターフェース（Ｉ／Ｆ）部３０１と、パケット処理やＣＳＭＡ／ＣＡなどのアクセス制御を行うＭＡＣ制御部３０２と、ＰＳＫ（Ｐｈａｓｅ　Ｓｈｉｆｔ　Ｋｅｙｉｎｇ）変調方式、ＣＣＫ（Ｃｏｍｐｌｅｍｅｎｔａｒｙ　Ｃｏｄｅ　Ｋｅｙｉｎｇ）変調方式などによる一次変調、スペクトラム拡散通信方式による二次変調を行うベースバンド部（ＢＢ部）３０３と、この変調された信号のＲＦ処理を行うＲＦ部３０４と、アンテナ３０５を備えている。
【００２９】
コンピュータ本体側から送られてくるパケットは、バスインターフェース部３０１を介して入力され、ＭＡＣ制御部３０２、ＢＢ部３０３、ＲＦ部３０４の順に処理され、アンテナ３０５から無線信号として送信される。アクセスポイントＡＰはこれを受信し、復調、復号化などの処理を行った後、ＬＡＮやインターネット上にパケットとして送出する。また、アクセスポイントＡＰから送られてくるパケットは、アンテナ３０５によって無線信号として受信された後、ＲＦ部３０４、ＢＢ部３０３、ＭＡＣ制御部３０２の順に処理され、バスインターフェース部３０１を介してコンピュータ本体側へ送出される。
【００３０】
図４は、ＩＥＥＥ８０２．１１に規定されるパケットのフレーム構成を示す図である。
【００３１】
図４に示されるように、このパケットは、実際のデータであるフレームボディ４０１の先頭にＭＡＣヘッダ（以下、単にヘッダという）４０２が設けられ、また後端に誤り検出用のフレームチェックデータ４０３が設けられる。ヘッダ４０２には、フレームコントロール部４０４、宛先ＭＡＣアドレス４０５、送信元ＭＡＣアドレス４０６、アクセスポイントのＭＡＣアドレス４０７、シーケンスコントロール部４０８などが含まれている。フレームコントロール部４０４にはさらに、当該パケットについてのＷＥＰのオン・オフ状態を表すＷＥＰビット４０９が含まれている。このＷＥＰビット４０９を参照することによって、そのパケットが暗号化されているかどうかを判別することができる。したがって、無線端末装置２００はパケットの送受信時にＷＥＰビットのオン・オフを判別し、その結果に基づいてコネクションの暗号化状態を表示する処理を行う。
【００３２】
図５は、無線端末装置によるパケットの受信処理手順を示すフローチャートである。
【００３３】
図５に示されるように、まずパケットを受信すると（Ｓ５０１）、エラーの有無を確認することによって受信成功か否かが判断される（Ｓ５０２）。エラーが発生した場合は受信失敗と判断され（Ｓ５０２Ｎ）、その場合には、パケットの再送要求や受信中止といったエラー処理が行われる（Ｓ５０３）。
【００３４】
一方、受信成功の場合には（Ｓ５０２Ｙ）、受信パケットのヘッダに含まれるＷＥＰビットをチェックする（Ｓ５０４）。ＷＥＰビットがオンである場合には（Ｓ５０４Ｙ）、コネクションが暗号化されている旨をユーザインターフェースに通知する（Ｓ５０５）。またＷＥＰビットがオフである場合には（Ｓ５０４Ｎ）、コネクションが暗号化されていない旨を通知する（Ｓ５０６）。さらに、ユーザインターフェースを介して、その通知結果に基づくコネクションの暗号化状態が表示される（Ｓ５０７）。すなわち、ディスプレイ上に表示された無線通信モニタウィンドウ内にコネクションの暗号化の有無を示すアイコンが表示される。その後、受信パケットは処理され（Ｓ５０８）、１つのパケットに対する受信処理が終了する。パケットを連続して受信する場合には以上の処理が繰り返される。
【００３５】
図６は、無線端末装置によるパケットの送信処理手順を示すフローチャートである。
【００３６】
図６に示されるように、パケットを送信するときは、まずパケットの送信処理を行った後（Ｓ６０１）、パケット送信処理の際のエラーの有無や、受信側からの確認信号（ＡＣＫ）の受信の有無によって送信成功か否かが判断される（Ｓ６０２）。パケット送信処理の際にエラーが発生した場合は送信失敗と判断されるが、エラーが発生しなくても、受信側からＡＣＫ信号を受信しなかった場合には、同様に送信失敗と判断される（Ｓ６０２Ｎ）。送信失敗の場合には、パケットの再送処理や送信中止といったエラー処理が行われる（Ｓ６０３）。
【００３７】
一方、送信成功の場合には（Ｓ６０２Ｙ）、送信パケットのヘッダに含まれるＷＥＰビットをチェックする（Ｓ６０４）。ＷＥＰがオンである場合には（Ｓ６０４Ｙ）、コネクションが暗号化されている旨をユーザインターフェースに通知する（Ｓ６０５）。またＷＥＰビットがオフである場合には（Ｓ６０４Ｎ）、コネクションが暗号化されていない旨を通知する。さらに、ユーザインターフェースを介して、その通知結果に基づく暗号化状態が表示される（Ｓ６０７）。すなわち、ディスプレイ上に表示された無線通信も似たウィンドウ内にコネクションの暗号化の有無を示すアイコンが表示される。以上により、１つのパケットに対する送信処理が終了する。パケットを連続して送信する場合には以上の処理が繰り返される。
【００３８】
無線通信モニタプログラムは、図５および図６に示した送受信処理手順のうち、ＷＥＰビットのチェックから暗号化状態の表示に至るまでの一連の処理を行う。すなわち、パケット受信時においては、図５に示したステップＳ５０４〜Ｓ５０７までの処理を行い、パケット送信時にはステップＳ６０４〜Ｓ６０７までの処理を行う。
【００３９】
また、無線通信モニタプログラムはユーザインターフェースにかかる処理のみを行ってもよく、その場合、ＷＥＰビットのチェックおよびその結果の通知（ステップＳ５０４〜Ｓ５０６、ステップＳ６０４〜Ｓ６０６）については、別の処理手段によって行う必要がある。例えば、ＷＥＰビットのチェックおよびその結果の通知については無線ＬＡＮアダプタ内で処理を行い、無線通信モニタプログラムが起動されたときにその通知結果を取り込み、無線ＬＡＮアダプタの内部処理と連携した処理を行って、暗号化状態を表示させてもよい。なお、無線ＬＡＮアダプタ以内の処理は、無線ＬＡＮアダプタのハードウェア処理であってもよく、ファームウェアによる処理であってもよい。あるいはまた、ＷＥＰビットのチェックおよびその結果の通知を、無線ＬＡＮアダプタのデバイスドライバによる処理として、コンピュータ側で実行させてもよい。
【００４０】
図５および図６に示した処理手順において、コネクションが暗号化されている旨を表示しているときに、ＷＥＰビットがオフのパケットを受信したとしても、その変更をただちに表示に反映させるのではなく、ＷＥＰビットがオフのパケットを所定回数以上連続して受信してはじめて表示に反映させることが好ましい。
【００４１】
例えば、１０回をしきい値とした場合には、ＷＥＰビットがオフのパケットを受信してもコネクションが暗号化されている旨を表示し続け、後続の受信パケットのＷＥＰビットがオフであったとしても表示は保留のままとし、１０回目に受信したパケットのＷＥＰビットまでもがオフであったときはじめてコネクションが暗号化されていない旨を表示させるようにする。もし１０回目に受信したパケットのＷＥＰビットがオンに戻った場合には、コネクションの暗号化状態の表示は変更させない。このようにすれば、暗号化状態が頻繁に変更されることによる煩わしさがなく、コネクションの暗号化状態の表示が非常に見やすくなる。
【００４２】
ここでいうコネクションとは、パケットの送受信が可能な状態をいい、コネクションの暗号化状態とは、例えば送受信されるパケットの多くが暗号化されている状態を示してもよいし、パケットのＷＥＰビットのオン・オフをそのまま示した状態としてもよい。なお、コネクションが暗号化されていない状態のときにＷＥＰがオンのパケットを受信した場合についても上記と同様である。
【００４３】
図７は、無線通信モニタウィンドウの一例を示す画面表示図である。
【００４４】
図７に示されるように、この無線通信モニタウィンドウ７０１には、無線ネットワークの接続状態が表示される。すなわち、アクセスポイントと接続されているか否か（接続の有無）、接続を開始してから現在までの時間（接続時間）、現在の接続速度、アクセスポイントからのシグナルの強さ、送受信されたパケットの総数などが表示される。またネットワーク接続状態とともに、コネクションが暗号化されているか否かも表示される。
【００４５】
コネクションの暗号化状態の表示では、ＷＥＰがオンの場合には、「ＷＥＰ−ＯＮ」の文字とともに施錠された南京錠を示すアイコンを表示し、ＷＥＰがオフの場合には、「ＷＥＰ−ＯＦＦ」の文字とともに施錠されていない南京錠を示すアイコンを表示する。このように、コネクションの暗号化状態を示すアイコン７０２をディスプレイに表示することで、現在のコネクションが暗号化されているか否かを直感的に確認することができ、ユーザは安心して無線通信を行うことができる。
【００４６】
本発明は、以上の実施形態に限定されることなく、特許請求の範囲に記載した発明の範囲内で種々の変更が可能であり、これらも発明の範囲に含まれることはいうまでもない。
【００４７】
例えば、前記実施形態においては、送受信パケットの両方をモニタしてコネクションの暗号化状態を判別しているが、これに限定されるものではなく、受信パケットのモニタのみ、あるいは送信パケットのモニタのみのように、いずれか一方の処理機能を備えていても構わない。すなわち、無線端末装置は、コネクションの暗号化状態を送受信パケット両方で判断してもよく、送信パケットあるいは受信パケットのいずれか一方のみで判別してもよい。
【００４８】
また、無線通信モニタプログラムのうち、ＷＥＰビットのオン・オフを判別するステップを実行する部分については、無線ＬＡＮアダプタ内にファームウェアの一部として実装させてもよい。その場合、当該プログラムは無線ＬＡＮアダプタ内のメモリに記録され、コンピュータ側に実装されたユーザインターフェース部分と連携しながら上述したコネクションの暗号化状態の判別およびその表示処理が行われる。なお、コンピュータ側に実装されるプログラム一部は、その機能によっては、無線ＬＡＮアダプタのファームウェアとして無線ＬＡＮアダプタ内に持たせることもできるし、無線ＬＡＮアダプタのデバイスドライバとしてコンピュータ側に持たせることもできる。
【００４９】
また、コネクションの暗号化状態を表示するアイコンとして、南京錠のアイコンを例に説明したが、これに限るものではなく、どのようなアイコン表示であっても構わないが、暗号化の有無を直感的に連想させるような絵や図形であることが好ましい。また、アイコンと文字を併用しているが、これに限らず、アイコンのみ、あるいは文字のみを表示させても構わない。
【００５０】
また、コネクションの暗号化状態を表示する際の表示形式は、どのような形式であってもよく、ディスプレイ上に暗号化状態が表示されればよい。したがって、ネットワーク接続状態とともに無線通信モニタウィンドウ内に表示するほか、無線通信モニタウィンドウとは独立した専用のウィンドウ内に表示させてもよい。
【００５１】
さらに、ユーザ操作によって無線通信モニタプログラムが起動されたときに無線通信モニタウィンドウが表示されるのではなく、無線通信モニタプログラムが常駐プログラムとしてバックグラウンドで動作し、コネクションの暗号化状態を示すアイコンを、画面の隅に例えばタスクバーとして常時表示させておいても構わない。
【００５２】
さらにまた、ＷＥＰの状態をディスプレイに表示するのではなく、例えばＬＥＤを点灯、点滅または消灯させることによって表示させてもよい。このときのＬＥＤは、専用ＬＥＤであってもよく、あるいは他の目的で使用されるＬＥＤを利用しても構わない。このＬＥＤは、無線ＬＡＮアダプタに設けられているものであってもよく、コンピュータ本体側に設けられているものであってもよい。さらには、ＬＥＤに限らず、パケットが暗号化されているか否かをユーザに明示することができるものであれば、どのような表示手段であっても構わない。
【００５３】
また、前記実施形態においては、無線通信モニタウィンドウに、コネクションの暗号化状態を、ネットワーク接続状態とともに表示する場合を例に説明したが、これに限定されるものではなく、それぞれ別々に表示させても構わない。また、これらを一緒に表示させる場合に、ネットワーク接続状態として、「接続の有無」、「接続時間」、「接続速度」、「シグナルの強さ」、「送受信パケットの総数」をすべて表示させなければならないものではなく、これらのいずれか１つであっても構わない。さらにまた、これらの項目でなくとも、ネットワーク接続状態に関する事項であればどのような事項であっても構わない。
【００５４】
また、前実施形態においては、無線通信モニタウィンドウにコネクションの暗号化状態を示す例について説明したが、ある特定のアプリケーションごとに表示させても構わない。この場合、判断するパケットは、当該アプリケーションに用いられたパケットのみを対象として判断しても構わない。
【００５５】
また、前記実施形態においては、リムーバブルメディアドライブ２０５によって記録または再生される記録媒体として、フレキシブルディスクやＣＤ−ＲＯＭを例に説明したが、これに限らず、ＣＤ−Ｒ、ＣＤ−ＲＷ、ＤＶＤ−ＲＯＭ、ＤＶＤ−Ｒといった各種光ディスク、ＭＯなどの光磁気ディスク、フラッシュメモリなどの半導体記憶素子を内蔵するいわゆるメモリカードのようなものも含まれ、リムーバブルメディアドライブ２０５には、これらの記録媒体に対応した各種ドライブ装置が含まれる。
【００５６】
また、前記実施形態においては、アクセスポイントＡＰを用いたインフラストラクチャモードでの無線通信方式について説明したが、無線端末装置どうしが直接無線接続されるアドホックモードにおいても適用可能である。
【００５７】
さらに、前記実施形態においては、アクセスポイントＡＰに接続される無線端末装置として、無線ＬＡＮアダプタを備えたパーソナルコンピュータを例に説明したが、これに限定されるものではなく、例えば、無線ＬＡＮアダプタを備えたＰＤＡ（Ｐｅｒｓｏｎａｌ　Ｄａｔａ　Ａｓｓｉｓｔａｎｃｅ：情報携帯端末）など、どのような無線端末装置であってもよい。また、無線ＬＡＮアダプタは、ＰＣカードのような外付けタイプのものであってもよく、例えばＰＣＩバス等の内部バスと接続するような内蔵タイプであっても構わない。
【００５８】
【発明の効果】
以上説明したように、本発明によれば、コネクションの暗号化状態を容易に確認することが可能な無線通信方法、無線端末装置、コンピュータプログラムおよび記録媒体を提供することができる。
【図面の簡単な説明】
【図１】図１は、本発明の好ましい実施形態にかかる無線通信システムのシステム構成を示す略ブロック図である。
【図２】図２には、無線端末装置ＰＣの構成を示す略ブロック図である。
【図３】図３は、無線ＬＡＮアダプタ２０６の構成を示す機能ブロック図である。
【図４】図４は、ＩＥＥＥ８０２．１１に規定される無線ＬＡＮパケットのフレーム構成を示す図である。
【図５】図５は、パケット受信時の処理手順を示すフローチャートである。
【図６】図６は、パケット送信時の処理手順を示すフローチャートである。
【図７】図７は、無線通信モニタウィンドウの一例を示す画面表示図である。
【符号の説明】
１０１　パーソナルコンピュータ（ＰＣ）
１０２　無線ＬＡＮアダプタ
１０３　アクセスポイント（ＡＰ）
１０４　ＬＡＮ
１０５　インターネット
２００　無線端末装置
２０１　コンピュータ本体
２０２　ＣＰＵ
２０３　メモリ
２０４　ハードディスクドライブ（ＨＤＤ）
２０５　リムーバブルメディアドライブ（ＲＭＤ）
２０６　入出力インターフェース（Ｉ／Ｏ）
２０７　表示手段
２０８　入力手段
３０１　バスインターフェース部
３０２　ＭＡＣ制御部
３０３　ベースバンド部（ＢＢ部）
３０４　ＲＦ部
３０５　アンテナ
４０１　データ
４０２　ＭＡＣヘッダ（ヘッダ）
４０３　フレームチェックデータ
４０４　フレームコントロール部
４０５　宛先ＭＡＣアドレス
４０６　送信元ＭＡＣアドレス
４０７　アクセスポイントのＭＡＣアドレス
４０８　シーケンスコントロール部
４０９　ＷＥＰビット
【図１】
2004135133.tif 000003
【図２】
2004135133.tif 000004
【図３】
2004135133.tif 000005
【図４】
2004135133.tif 000006
【図５】
2004135133.tif 000007
【図６】
2004135133.tif 000008
【図７】
2004135133.tif 000009